(57)【要約】  【課題】  収納する袋に大小がある場合でも袋をずり落ちることなく確実に支持し、また、はみ出し収納によって、袋の収納可能な量であれば支持器具の収納量よりも多く収納できることや、収納する収納物がどの方向に長いものであっても袋に収納可能な大きさであれば、確実に収納することのできる収納袋の支持器具を提案する。  【解決手段】  基台１と、基台１の中心を囲んで基台１上に略垂直または垂直に近い角度で立設されるとともに基端部が内側に回動可能でかつ外方向に付勢されて支持された支柱下８および支柱上１０と、支柱上１０の上端部に形成され上辺が略水平である平板状の袋係合部１１と、袋係合部１１に収納袋１３の縁を折り返して係合した状態で袋係合部１１の前後を挟圧するクリップ１２とを備える。ここで、前記支柱下８の基端部は板ばね６により形成する。【選択図】  図３
2006232431.tif 000002
【特許請求の範囲】
【請求項１】
基台と、該基台の中心を囲んで基台上に略垂直または垂直に近い角度で立設された３本以上の支柱と、該支柱の上端部に形成され上辺が略水平である角型薄板平板状の袋係合部と、該袋係合部に収納袋の縁を折り返して係合した状態で袋係合部の前後および頂部を挟圧するクリップとを備えたことを特徴とする収納袋の支持器具。
【請求項２】
基台と、該基台の中心を囲んで基台上に略垂直または垂直に近い角度で立設されるとともに基端部が内側に回動可能でかつ外方向に付勢されて支持された３本以上の支柱と、該支柱の上端部に形成され上辺が略水平である角型薄板平板状の袋係合部と、該袋係合部に収納袋の縁を折り返して係合した状態で袋係合部の前後および頂部を挟圧するクリップとを備えたことを特徴とする収納袋の支持器具。
【請求項３】
請求項２に記載の収納袋の支持器具において、前記支柱の基端部を板ばねにより形成するとともに、該板ばねの外側に支柱が外側に回動することを阻止する係止部を設けたことを特徴とする収納袋の支持器具。
【請求項４】
請求項２に記載の収納袋の支持器具において、前記支柱の基端部に上部が内側に回動可能なヒンジを設けるとともに、該ヒンジ部にヒンジ上部を外側に押圧付勢するコイルばねを装着したことを特徴とする収納袋の支持器具。
【請求項５】
請求項２に記載の収納袋の支持器具において、前記支柱の基端部に塑性変形可能なＬ型金具を設けることで、支柱の角度を調節自在にしたことを特徴とする収納袋の支持器具。
【請求項６】
請求項２乃至５のいずれかに記載の収納袋の支持器具において、
前記基台の上面にレールを配設し、該レールに前記支柱の基端部を摺動自在に嵌着したことを特徴とする収納袋の支持器具。
【請求項７】
請求項６に記載の収納袋の支持器具において、
前記支柱基端部の摺動部に係止ボルトを螺着して、前記レールに対する支柱の摺動位置を調整後に支柱を固定可能にしたことを特徴とする収納袋の支持器具。
【請求項８】
請求項６または７に記載の収納袋の支持器具において、
前記レールを前記基台に軸着して、レールを水平面内旋回自在にしたことを特徴とする収納袋の支持器具。
【請求項９】
請求項１乃至８のいずれかに記載の収納袋の支持器具において、
前記支柱を二重軸嵌合構造として袋係合部の高さを調節可能にしたことを特徴とする収納袋の支持器具。
【請求項１０】
請求項９に記載の収納袋の支持器具において、
前記支柱の二重軸嵌合部に係止ボルトを螺着して、前記支柱の高さを調整後に支柱を固定可能にしたことを特徴とする収納袋の支持器具。
【発明の詳細な説明】
【技術分野】
【０００１】
本発明は、収納袋の支持器具に関し、詳しくは、ゴミ、その他の廃棄物または物品等を収納するビニール袋等の収納袋を、収納物を投入しやすく開口して支持する支持器具に関する。
【背景技術】
【０００２】
従来、家庭やオフィス等では、ゴミその他の廃棄物を廃棄するために、ビニール袋に入れてから搬出して廃棄していた。ゴミその他の廃棄物をビニール袋に入れる作業を簡便化するため、通常は、ゴミ箱等の容器の内側に、前もってビニール袋を敷いておき、その中にゴミ等が溜まってきたら、ゴミ箱等からそのビニール袋ごとゴミ等を抜き取り、ビニール袋の口元を結わえて、ゴミ回収に出していた。このとき、容器の縁にビニール袋を確実に固定する器具として、特許文献１および特許文献２に記載の「ごみ等の収納容器」、特許文献３に記載の「袋体保持クリップ」、特許文献４に記載の「クリップ付きゴミ容器」が提案されている。
【特許文献１】実開平６−２７７０２号公報
【特許文献２】実開平６−２７７０３号公報
【特許文献３】実開平６−２７７０９号公報
【特許文献４】特開平９−７７２０３号公報
【発明の開示】
【発明が解決しようとする課題】
【０００３】
上述した従来例は、いずれも、容器の内側にゴミ袋を敷き縁の部分をクリップで留めるようにしており、ゴミ袋が確実に容器内に保持されることで、使い勝手がよい。しかしながらそのためには、容器の口縁寸法や容積とゴミ袋の口縁寸法や大きさが一致していなければならない。容器よりも大きいゴミ袋も使用可能ではあるものの、その場合はゴミ袋の余分な部分が内側に畳まれてしまいゴミ袋の容量いっぱいにゴミを詰めることができないという不具合があった。また、容器よりも小さい口縁寸法の袋は、容器に装着できないという不具合があった。
【０００４】
また、上述した従来例では、容器の縦横等の寸法により収納できるゴミの大きさ、形状および量が制限される。そのため、細長い形状をしていてゴミ袋に縦には収納できる大きさであっても、容器の寸法から横にはみ出す場合は、ゴミ袋を容器から取り出してからでないと収納できないという不便さがあった。容器の収納量より大きい収納量の袋を容器内に装着した場合においても、袋が容器の外にはみ出して収納することができないので、容器の収納量に限定された収納量しか収納できない不具合があった。また、クリップの保持力が弱く、ゴミ袋がクリップからずり落ちることがあった。そこで、本発明は、収納する袋に大小がある場合でも、クリップからずり落ちることなく確実に支持し、収納する収納物が一方に長い大きさのものであっても、また、袋に収納可能な量であれば、確実に収納することのできる収納袋の支持器具を提案することを目的とした。
【課題を解決するための手段】
【０００５】
上記課題を解決するために、本発明は、基台と、該基台の中心を囲んで基台上に略垂直または垂直に近い角度で立設された３本以上の支柱と、該支柱の上端部に形成され上辺が略水平である角型薄板平板状の袋係合部と、該袋係合部に収納袋の縁を折り返して係合した状態で袋係合部の前後および頂部を挟圧するクリップとを備えたことを特徴とする。
【０００６】
また、本発明は、基台と、該基台の中心を囲んで基台上に略垂直または垂直に近い角度で立設されるとともに基端部が内側に回動可能でかつ外方向に付勢されて支持された３本以上の支柱と、該支柱の上端部に形成され上辺が略水平である角型薄板平板状の袋係合部と、該袋係合部に収納袋の縁を折り返して係合した状態で袋係合部の前後および頂部を挟圧するクリップとを備えたことを特徴とする。
【０００７】
ここで、前記支柱の基端部を板ばねにより形成するとともに、該板ばねの外側に支柱が外側に回動することを阻止する係止部を設けることが可能である。また、前記支柱の基端部に上部が内側に回動可能なヒンジを設けるとともに、該ヒンジ部にヒンジ上部を外側に押圧付勢するコイルばねを装着することが可能である。さらに、前記支柱の基端部に塑性変形可能なＬ型金具を設けることで、支柱の角度を調節自在にすることが可能である。
【０００８】
また、前記基台の上面にレールを配設し、該レールに前記支柱の基端部を摺動自在に嵌着し、前記支柱基端部の摺動部に係止ボルトを螺着して、前記レールに対する支柱の摺動位置を調整後に支柱を固定可能にすることができる。さらに、前記レールを前記基台に軸着して、レールを水平面内旋回自在にすることができる。またさらに、前記支柱を二重軸嵌合構造として袋係合部の高さを調節可能にし、前記支柱の二重軸嵌合部に係止ボルトを螺着して、前記支柱の高さを調整後に支柱を固定可能にすることができる。
【発明の効果】
【０００９】
以上述べたように本発明によれば、支柱上端に袋係合部を設けて、そこへ収納袋の上端を折り返して係合した後、その外側および頂部をクリップで挟圧することで、クリップの把持部分の摩擦抵抗が増大し、収納袋は強固に支柱上端に保持され、収納袋がずり落ちることが解消される。また、支柱は基端部で回動可能にかつ外側に付勢されているため、収納袋の上端を最も外側に拡大させた状態で保持することが可能となり、収納物を収納袋内に投入することが容易となる。さらに、支柱はレールにより移動自在に支持されているため、支柱の配置が任意に変更可能となり、収納袋を収納する収納物品の形状に対応させた開口形状にすることが可能である。
【００１０】
また、従来の容器では容器より大きいゴミ袋も使用可能ではあるもののゴミ袋の余分な部分が内側に畳まれてしまいゴミ袋の容量いっぱいにゴミを詰めることができないという不具合があったが、本発明では支柱よりも外にはみ出して収納することができるので支柱に囲まれる容積よりも多量の収納物を収納することができる。また、収納袋内に収納物がどのような格好で詰め込まれていても、支柱に突出材や側材がないので、支柱上端のクリップを外せば、支持器具から収納袋を簡単に抜き取ることが可能であり、使い勝手が良い。
【００１１】
同時に、収納袋に大小がある場合でも、その収納袋の大きさに合わせて支柱の位置・角度・高さを調整することで取り付け可能となる。すなわち、本発明に係る収納袋の支持器具を１個備えておけば、様々なサイズの収納袋を使用して、収納物を収納することが可能となる。また、組立や折り畳みが簡単であり、どこにでも容易に移動して設置できることや、支持器具の形状、寸法が自在に調整できることにより、設置場所における収納物の量や大きさなどに適合したサイズの袋を装着することが可能である。
【発明を実施するための最良の形態】
【００１２】
以下、図に基づいて本発明の実施形態を説明する。
図１は本発明に係る収納袋の支持器具の第１の実施形態を示す外観図であり、図２は図１の平面図である。図１および図２では、説明のため収納袋を支持していない状態を示している。図示されるように、正方形の板からなる基台１の上面に、板金を折曲して形成されたレール２が載置され、その長手方向の内側の端部が基台１に、ビス３により水平方向旋回自在に軸着されている。なお、レール２は、ビス３でなく、リベットにより、軸着させることも可能である。
【００１３】
レール２の上面の溝部分には、Ｌ金具４がビス５により締結されており、このビス５を緩めることで、Ｌ金具４の位置が調節自在である。なお、Ｌ金具４は、ビス５でなく、リベットにより、摺動自在にレール２に支持させることも可能である。また、レール２とＬ金具４を嵌合構造としておき、ビス５やリベットを用いないで摺動可能に保持させることも可能である。Ｌ金具４の上部の垂直部には、板ばね６の下部がリベット７により固着されている。板ばね６の上部は、支柱下８の下端にリベット９により固着されている。板ばね６には、鋼板等のばね用金属板、可撓性を有するプラスチック板等を用いる。支柱下８は、パイプ材からなり、下端を押しつぶして平板状にしてある。
【００１４】
Ｌ金具４と支柱下８が板ばね６により接続されたため、支柱下８は、Ｌ金具４に対して回動可能に支持されたことになる。しかしながら、支柱下８が垂直方向に正立している状態で、Ｌ金具４の上端と、支柱下８の下端が互いに当接するようにしてあるため、その当接部が離間する方向すなわち支柱下８が内側に倒れる方向にしか倒れず、支柱下８は外側には倒れない。なお、板ばね６は、リベット７、９によらず、ビスにより固着することも可能である。
【００１５】
支柱下８の上端は、支柱下８よりも一回り太いパイプ材からなる支柱上１０が嵌合され、支柱下８に対して摺動自在に支持されている。なお、支柱下８と支柱上１０の嵌合部にビスを螺着しておいて、支柱上１０の高さを調節した後、そのビスを締めつけて支柱下８と支柱上１０を固定することも可能である。支柱上１０の上端は、押しつぶされて、角型薄板の平板状に形成され、その上端の辺は、水平方向に形成されている。支柱上１０の上端は、後述する収納袋１３が係合保持されるため、収納袋１３が当接される角部は、面取りすることなく、尖ったままの方が好ましい。
【００１６】
この支柱上１０の上端が袋係合部１１となり、クリップ１２が挟着されている。図示例のクリップ１２は、２個の回動片を金属ばねにより内側に挟圧する構造のものであるが、クリップはこの構造に限定されるものでなく、これ以外に、弾性を有する樹脂をＵ字形に成形して、樹脂の弾性力により挟圧する構造をしたクリップを用いることも可能である。なお、図示例は、支柱下８および支柱上１０を４本配置とした構成であるが、支柱下８および支柱上１０の本数は、３本以下または５本以上とすることも可能である。
【００１７】
次に、上述した支持器具に収納袋を取り付けた状態について説明する。図３は、図１に示された支持器具に収納袋を取り付けた状態を示すために一部を破断した部分断面図である。ビニール袋等の収納袋１３を取り付ける際は、先ず、収納袋１３の大きさおよび形状に応じて、レール２を旋回調節して方向を定める。次に、ビス５を緩めてＬ金具４を摺動させて、最適な位置に合わせてビス５を締めつける。次に、袋係合部１１からクリップ１２を取り外して、各支柱上１０の内側空間に、収納袋１３を挿入する。
【００１８】
次いで、収納袋１３の上端開口部の縁を適当な幅で外側に折り返し、その内側に袋係合部１１を挿入して、収納袋１３の上から、クリップ１２を袋係合部１１に挟着する。このとき収納袋１３の縁は、袋係合部１１の前後の両面および頂部でクリップ１２により挟圧されるため、収納袋１３と袋係合部１１との間の摩擦力が増大し、そして、容器口縁部の外側に折り返された部分の袋が、クリップ１２と袋係合部１１の密着挟圧によりクリップ１２に向かって外からずれ上がりの進入ができないことにより、収納袋１３の縁が袋係合部１１からずれ落ちることなく保持される。また、収納袋１３の開口部の縁は、その周方向に、袋係合部１１によりテンションを与えられた状態で保持される。さらに、この状態で、支柱上１０を抜き差しして、袋係合部１１の高さを調節して、収納袋１３の取り付けを終了する。このようにして、収納袋１３はその内側寸法いっぱいに、外側に引っ張られて、縁部分が四角形の枠状に保持される。
【００１９】
また、収納袋１３の底部も、基台１の上面にわずかに触れる程度の高さにすることで、収納物を収納袋１３の容量いっぱいに安定した状態でかつ支柱に荷重負担をかけることなく収納することができる。また、収納袋１３の上端の縁部分を支持している袋係合部１１は、その基端部が板ばね６により支持されて内外に移動可能であり、それにより収納袋１３の開口部の形状を歪めて、横長形状の収納物を収納することも可能になる。図４は、上述した支持器具を、机と机の間のように幅の狭い空間に設置する場合のレール２の配置例を示す平面図である。４個のレール２をそれぞれ横方向の２本の直線上に配置することで、図示しない収納袋の開口部を横長に保持することが可能となる。
【００２０】
図５は本発明に係る収納袋の支持器具の第２の実施形態を示す要部の外観図である。この第２の実施形態は、図１の第１の実施形態のＬ金具４の部分と支柱下８の下部分のみを変更したものであり、他は、図１の第１の実施形態と同一の構成であるので、変更部分のみを説明する。レール２に、スプリング蝶番１４がビス１５により、位置調節を自在に取り付けられている。スプリング蝶番１４は、その支軸にコイルばね１６が装着されており、スプリング蝶番１４の上片１７を時計方向に付勢している。
【００２１】
しかし、スプリング蝶番１４の上片１７は、その右側に垂直に立設されたストッパー１８に当接されて、垂直の角度から時計方向に回動しないように規制されている。その結果、上片１７にリベット１９により固着されている支柱下８は、垂直の角度から内側である反時計方向にのみ傾斜可能に支持されることになる。すなわち、図１の第１の実施形態の板ばね６の作用を、第２の実施形態では、ストッパー１８を備えたスプリング蝶番１４により実現したものである。
【００２２】
図６は本発明に係る収納袋の支持器具の第３の実施形態を示す要部の外観図である。この第３の実施形態は、図１の第１の実施形態のＬ金具４の部分と支柱下８の下部分のみを変更したものであり、他は、図１の第１の実施形態と同一の構成であるので、変更部分のみを説明する。レール２に、Ｌ金具２１がビス２２により、位置調節を自在に取り付けられている。Ｌ金具２１は、その折曲部が塑性変形可能な鉄、銅、アルミ、鉛、錫、亜鉛等の金属またはそれらの合金により形成されている。Ｌ金具２１の上部はリベット２３により支柱下８の下部に固着されている。この実施形態では、支柱下８等を把持して、前後に傾けることで、Ｌ金具２１の折曲部が塑性変形して、支柱下８等を任意の角度に調節することが可能となる。
【００２３】
また、図示しないが、第４の実施形態として、基台の上に、直接４本の支柱を略垂直に立設し、その支柱部分の上端に、角型薄板の平板状の袋係合部を形成しておくことも可能である。その袋係合部の上端の水平方向に形成された辺を、縁を折り返した収納袋の折り返し部分の内側に挿入し、その外側をクリップにより挟圧して、収納袋を支柱に支持させることができる。
【産業上の利用可能性】
【００２４】
本発明は、ゴミを収納するゴミ袋を支持する以外に、自動販売機の傍らに設置される飲料缶の廃棄容器にも利用可能であり、さらには、工場その他の作業所において、作業に必要な調達物品を取り揃えて収納することや、処理作業等が終了した物品を袋に収納するような工程でも利用可能である。また、イベント会場や作業現場等において、収納容器の設置や、移動、撤去が容易にできる便利な収納容器として利用できる。
【図面の簡単な説明】
【００２５】
【図１】本発明に係る収納袋の支持器具の第１の実施形態を示す外観図である。
【図２】図１の平面図である。
【図３】図１に示された支持器具に収納袋を取り付けた状態を示す部分断面図である。
【図４】図１に示された支持器具の他の設置例を示す平面図である。
【図５】本発明に係る収納袋の支持器具の第２の実施形態を示す要部の外観図である。
【図６】本発明に係る収納袋の支持器具の第３の実施形態を示す要部の外観図である。
【符号の説明】
【００２６】
１  基台
２  レール
３  ビス
４  Ｌ金具
５  ビス
６  板ばね
７  リベット
８  支柱下
９  リベット
１０  支柱上
１１  袋係合部
１２  クリップ
１３  収納袋
１４  スプリング蝶番
１５  ビス
１６  コイルばね
１７  上片
１８  ストッパー
１９  リベット
２１  Ｌ金具
２２  ビス
２３  リベット
【図１】
2006232431.tif 000003
【図２】
2006232431.tif 000004
【図３】
2006232431.tif 000005
【図４】
2006232431.tif 000006
【図５】
2006232431.tif 000007
【図６】
2006232431.tif 000008